(57)【要約】【課題】  販売する商品と、販売促進のために上記商品に添付する付属物品とを隔離して一体に収納しうると共に、容易に製造できて製造コストを低減しうるＰＯＰ用パッケージを提供する。【解決手段】  商品に取り付けられる取付部と、上記商品に添付される付属物品を収納しうる収納部と、上記収納部に収納された付属物品を固定しうる固定部とを有する。上記取付部は上記商品の端部を被覆しうるキャップ形状に形成されると共に、上記収納部は上記取付部の上方に配置され、上記取付部の幅方向に沿って付属物品を横臥姿勢で挿入して収納しうる横向き筒状に形成される。上記固定部は、上記収納部における背面部の内面側に折り畳まれ重合されることにより上記収納部における前面部側へ付勢された弾性を有する２枚の弾性片により構成される。【選択図】  図１
0003111514.tif 000002
【実用新案登録請求の範囲】
【請求項１】
商品に取り付けられる取付部と、上記商品に添付される付属物品を収納しうる収納部と、上記収納部に収納された付属物品を固定しうる固定部とを有することを特徴とするＰＯＰ用パッケージ。
【請求項２】
上記取付部は上記商品の端部を収納しうるキャップ形状に形成されると共に、上記収納部は上記取付部の上方に配置され、上記取付部に付属物品を挿入して収納しうる筒状に形成されていることを特徴とする請求項１記載のＰＯＰ用パッケージ。
【請求項３】
上記取付部は上記商品の端部を収納しうる凹状に形成されると共に、上記収納部は上記取付部の側方に配置され、上記取付部に付属物品を挿入して収納しうる筒状に形成されていることを特徴とする請求項１記載のＰＯＰ用パッケージ。
【請求項４】
上記固定部は、上記収納部における内方に配置され、上記収納部において上記付属物品を固定しうる弾性片を有し、上記弾性片が上記収納部に収納された付属物品を上記収納部の内面部に対して押圧することにより固定しうるように構成されていることを特徴とする請求項１〜３記載のＰＯＰ用パッケージ。
【請求項５】
上記弾性片は上記収納部における背面部に設けられ、上記付属物品を前面部側へ押圧して上記付属物品を固定しうるように形成されていることを特徴とする請求項４記載のＰＯＰ用パッケージ。
【請求項６】
上記弾性片は上記収納部における前面部に設けられ、上記付属物品を背面部側へ押圧して上記付属物品を固定しうるように形成されていることを特徴とする請求項４記載のＰＯＰ用パッケージ。
【請求項７】
上記弾性片は上記収納部における上面部に設けられ、上記付属物品を下面部側へ押圧して上記付属物品を固定しうるように形成されていることを特徴とする請求項４記載のＰＯＰ用パッケージ。
【請求項８】
上記弾性片は上記収納部における下面部に設けられ、上記付属物品を上面部側へ押圧して上記付属物品を固定しうるように形成されていることを特徴とする請求項４記載のＰＯＰ用パッケージ。
【請求項９】
上記弾性片は互いに重合しうる２枚で構成されていることを特徴とする請求項４〜８記載のＰＯＰ用パッケージ。
【請求項１０】
上記固定部を構成する弾性片には、上記収納部に収納される上記付属物品が短寸の場合に、上記付属物品の長さ方向の両端面に当接し上記付属物品の移動を阻止しうるストッパ部が形成されていることを特徴とする請求項４〜９記載のＰＯＰ用パッケージ。
【請求項１１】
上記固定部を構成する弾性片には、上記収納部に収納された上記付属物品側へ膨出する折曲突出部が形成されていることを特徴とする請求項４〜１０記載のＰＯＰ用パッケージ。
【請求項１２】
上記収納部における前面部は後方へ傾斜するように形成されていることを特徴とする請求項１〜１１記載のＰＯＰ用パッケージ。
【請求項１３】
上記取付部には、販売される商品としてのタバコの箱が収納され、上記収納部には上記商品に添付される景品として配布される付属物品としてのライターが収納されうるように形成されていることを特徴とする請求項１〜１２記載のＰＯＰ用パッケージ。
【請求項１４】
一枚の組み立てシートの所定位置を折曲して組み立てることにより形成されることを特徴とする請求項１〜１３記載のＰＯＰ用パッケージ。
【請求項１５】
上記組み立てシートは合成樹脂製シートにより形成され、上記取付部と上記収納部は外部から内部を透視しうるように形成されていることを特徴とする請求項１４記載のＰＯＰ用パッケージ。
【請求項１６】
上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用背面部の左右側方に夫々左右の上記弾性片が連設された構成を有することを特徴とする請求項５及び請求項１４〜１５記載のＰＯＰ用パッケージ。
【請求項１７】
上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用前面部の左右側方に夫々左右の上記弾性片が連設された構成を有することを特徴とする請求項６及び請求項１４〜１５記載のＰＯＰ用パッケージ。
【請求項１８】
上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用上面部の左右側方に夫々左右の上記弾性片が連設された構成を有することを特徴とする請求項７及び請求項１４〜１５記載のＰＯＰ用パッケージ。
【請求項１９】
上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、収納部形成用下面部を兼ねる上記取付部形成用上面部の左右側方に夫々左右の上記弾性片が連設された構成を有することを特徴とする請求項８及び請求項１４〜１５記載のＰＯＰ用パッケージ。
【請求項２０】
上記組み立てシートにおける上記弾性片には、折曲することにより上記ストッパ部を形成しうる折目が所定位置に設けられていることを特徴とする請求項１０及び請求項１６〜１９記載のＰＯＰ用パッケージ。
【請求項２１】
上記組み立てシートにおける上記弾性片には、上記折曲突出部を形成しうる折目が所定位置に設けられていることを特徴とする請求項１１及び請求項１６〜１９記載のＰＯＰ用パッケージ。
【請求項２２】
上記組み立てシートにおける上記右方接合部と上記左方接合部の一方には切込が設けられると共に他方には係止片が設けられ、上記係止片が上記切込に係合されることにより上記右方接合部と上記左方接合部とが接合されるように構成されていることを特徴とする請求項１６〜１９記載のＰＯＰ用パッケージ。
【請求項２３】
上記組み立てシートにおける上記右方接合部と上記左方接合部は接着により接合されるように構成されていることを特徴とする請求項１６〜１９記載のＰＯＰ用パッケージ。
【考案の詳細な説明】
【技術分野】
【０００１】
本考案はＰＯＰ用パッケージに係り、特に、販売される商品と共に、当該商品を宣伝し商品に対して付加価値をつける付属物品を収納して保持しうるＰＯＰ用パッケージに関する。
【背景技術】
【０００２】
商品を販売する場合の販売促進の一態様として、その商品に関連した付属物品を景品として付加する場合が多い。
【０００３】
これらの商品や付属物品は裸で提供されるものではなく、パッケージにより包装された状態で提供されるのが一般的である。
【０００４】
この場合、その商品と付属物品とを一括して包装してしまうと、宣伝する商品が目立ちにくくなり、ＰＲ効果が毀損されてしまうので、そのパッケージは商品と付属物品とを隔離して収納しうる構造にすることが好ましい。
【０００５】
即ち、上記パッケージには、商品の収納部と、これとは別個の付属物品の収納部とを設けることが好ましい。
【０００６】
しかしながら、パッケージに２つの収納部、即ち、商品の収納部と、付属物品の収納部とを隔離して設けるようにすると、上記パッケージの構造が複雑になって、製造工程が煩雑化し、製造コストが嵩むという不具合がある。
【０００７】
なお、本出願人は、上記不具合を解消しうるパッケージに係る先行技術について調査したが、関連する先行技術文献を見出すことはできなかった。
【考案の開示】
【考案が解決しようとする課題】
【０００８】
そこで本考案の課題は、販売する商品と、販売促進のために上記商品に添付する付属物品とを隔離して一体に収納しうると共に、容易に製造できて製造コストを低減しうるＰＯＰ用パッケージを提供することにある。
【課題を解決するための手段】
【０００９】
上記課題を解決するために、請求項１記載の本考案に係るＰＯＰ用パッケージは、商品に取り付けられる取付部と、上記商品に添付される付属物品を収納しうる収納部と、上記収納部に収納された付属物品を固定しうる固定部とを有することを特徴とする。
【００１０】
即ち、請求項１記載の本考案に係るＰＯＰ用パッケージにあっては、上記取付部を商品に取り付けると共に、上記収納部に付属物品を上記固定部により固定した状態で収納することにより、上記商品と上記付属物品とを一緒に販売又は頒布することができる。
【００１１】
また、請求項２記載の本考案に係るＰＯＰ用パッケージは、上記取付部は上記商品の端部を収納しうるキャップ形状に形成されると共に、上記収納部は上記取付部の上方に配置され、上記取付部に付属物品を挿入して収納しうる横向き筒状に形成されていることを特徴とする。
【００１２】
即ち、請求項２記載の本考案に係るＰＯＰ用パッケージにあっては、上記キャップ形状に形成された上記取付部を商品の端部に被せるだけで容易に商品に取り付けることができる。また、上記収納部は上記取付部の上方に配置されているので、上記収納部に収納された付属物品が視認しやすくなる。また、上記収納部は、上記取付部に付属物品を挿入して収納しうる筒状に形成されているので、高さ寸法を抑えることができ、嵩張らず、全体の大きさをコンパクトにすることができる。
【００１３】
また、請求項３記載の本考案に係るＰＯＰ用パッケージは、上記取付部は上記商品の端部を収納しうる凹状に形成されると共に、上記収納部は上記取付部の側方に配置され、上記取付部の長さ方向に沿って付属物品を挿入して収納しうる筒状に形成されていることを特徴とする。
【００１４】
即ち、請求項３記載の本考案に係るＰＯＰ用パッケージにあっては、上記凹状に形成された上記取付部に商品の端部を挿入するだけで容易に商品に取り付けることができる。また、上記収納部は上記取付部の側方に配置されているので、上記取付部に収納された商品が上記収納部に収納された付属物品の下に隠れることがなく視認しやすくなる。また、上記収納部は、上記取付部の長さ方向に沿って付属物品を挿入して収納しうる縦向き筒状に形成されているので、上記収納部の長さ寸法を大きくすることができる。
【００１５】
また、請求項４記載の本考案に係るＰＯＰ用パッケージは、上記固定部は、上記収納部における内面側に配置され、上記収納部において上記付属物品を固定しうる弾性片を有し、上記弾性片が上記収納部に収納された付属物品を上記収納部の内面部に対して押圧することにより固定しうるように形成されていることを特徴とする。
【００１６】
即ち、請求項４記載の本考案に係るＰＯＰ用パッケージにあっては、上記収納部に収納された付属物品を固定するために、上記弾性片の押圧力を利用している。
【００１７】
また、請求項５記載の本考案に係るＰＯＰ用パッケージは、上記弾性片は上記収納部における背面部に設けられ、上記付属物品を前面部側へ押圧して上記付属物品を固定しうるように形成されていることを特徴とする。
【００１８】
即ち、請求項５記載の本考案に係るＰＯＰ用パッケージにあっては、上記付属物品は上記収納部における前面部と弾性片とにより挟着されて固定される。
【００１９】
また、請求項６記載の本考案に係るＰＯＰ用パッケージは、上記弾性片は上記収納部における前面部に設けられ、上記付属物品を背面部側へ押圧して上記付属物品を固定しうるように形成されていることを特徴とする。
【００２０】
即ち、請求項６記載の本考案に係るＰＯＰ用パッケージにあっては、上記付属物品は上記収納部における背面部と弾性片とにより挟着されて固定される。
【００２１】
また、請求項７記載の本考案に係るＰＯＰ用パッケージは、上記弾性片は上記収納部における上面部に設けられ、上記付属物品を下面部側へ押圧して上記付属物品を固定しうるように形成されている。
【００２２】
即ち、請求項７記載の本考案に係るＰＯＰ用パッケージにあっては、上記付属物品は上記収納部における下面部と弾性片とにより挟着されて固定される。
【００２３】
また、請求項８記載の本考案に係るＰＯＰ用パッケージは、上記弾性片は上記収納部における下面部に設けられ、上記付属物品を上面部側へ押圧して上記付属物品を固定しうるように形成されていることを特徴とする。
【００２４】
即ち、請求項８記載の本考案に係るＰＯＰ用パッケージにあっては、上記付属物品は上記収納部における上面部と弾性片とにより挟着されて固定される。
【００２５】
また、請求項９記載の本考案に係るＰＯＰ用パッケージは、上記弾性片は互いに重合しうる２枚で構成されていることを特徴とする。
【００２６】
即ち、請求項９記載の本考案に係るＰＯＰ用パッケージにあっては、上記弾性片が２重に配置され、上記付属物品に対する押圧力が強化されている。
【００２７】
また、請求項１０記載の本考案に係るＰＯＰ用パッケージは、上記固定部を構成する弾性片には、上記収納部に収納される上記付属物品が短寸の場合に、上記付属物品の長さ方向の両端面に当接し上記付属物品の移動を阻止しうるストッパ部が形成されていることを特徴とする。
【００２８】
即ち、請求項１０記載の本考案に係るＰＯＰ用パッケージにあっては、上記収納部に収納された上記付属物品の位置ずれが上記ストッパ部により規制される。
【００２９】
また、請求項１１記載の本考案に係るＰＯＰ用パッケージは、上記固定部を構成する弾性片には、上記収納部に収納された上記付属物品側へ膨出する折曲突出部が形成されていることを特徴とする。
【００３０】
即ち、請求項１１記載の本考案に係るＰＯＰ用パッケージにあっては、上記折曲突出部を設けることにより上記弾性片の反発力が高められている。
【００３１】
また、請求項１２記載の本考案に係るＰＯＰ用パッケージは、上記収納部における前面部は後方へ傾斜するように形成されていることを特徴とする。
【００３２】
即ち、請求項１２記載の本考案に係るＰＯＰ用パッケージにあっては、上記収納部に収納された付属物品を視認しやすくするため、上記収納部の前面部を後方へ傾斜させている。
【００３３】
また、請求項１３記載の本考案に係るＰＯＰ用パッケージは、上記取付部には、販売される商品としてのタバコの箱が収納され、上記収納部には上記商品に添付される景品として配布されるライターが収納されうるように形成されていることを特徴とする。
【００３４】
即ち、請求項１３記載の本考案に係るＰＯＰ用パッケージにあっては、タバコを販売するために使用されるものであって、景品としてライターを一緒に添付することができる。
【００３５】
また、請求項１４記載の本考案に係るＰＯＰ用パッケージは、一枚の組み立てシートの所定位置を折曲して組み立てることにより形成されることを特徴とする。
【００３６】
即ち、請求項１４記載の本考案に係るＰＯＰ用パッケージにあっては、所定形状に裁断された一枚の組み立てシートを所定位置に設けられた折曲線位置で折り曲げるのみで容易に組み立てて完成させることができる。
【００３７】
また、請求項１５記載の本考案に係るＰＯＰ用パッケージは、上記組み立てシートは合成樹脂製シートにより形成され、上記取付部と上記収納部は外部から内部を透視しうるように形成されていることを特徴とする。
【００３８】
即ち、請求項１５記載の本考案に係るＰＯＰ用パッケージにあっては、上記取付部も上記収納部も合成樹脂製シートにより形成されて、夫々に収納された商品と付属物品を確実に視認させることができる。
【００３９】
また、請求項１６記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記背面部の左右側方には夫々左右の上記弾性片が連設された構成を有することを特徴とする。
【００４０】
即ち、請求項１６記載の本考案に係るＰＯＰ用パッケージにあっては、上記取付部形成用の前面部、前面重合部、天面部、背面部、左側面部、左方接合部、右側面部、右方接合部、左側面重合部及び右側面重合部をそれぞれの境界に設けられた折曲線で折り曲げることにより上記取付部が組み立てられる。
また、上記収納部形成用の前面部、天面部、背面部を夫々の境界に設けられた折曲線で折り曲げることにより上記収納部が組み立てられる。
また、上記取付部形成用の背面外方重合部を上記背面部の外側に重ね合わせると共に、上記背面外方重合部に対し上記背面内方重合部を上記折曲線で折曲して上記背面部の内側に重ねあわせることにより、上記収納部が上記取付部に連結される。
また、上記左右の弾性片を上記背面部に対し夫々折り曲げて重合させることにより上記固定部が形成される。
【００４１】
また、請求項１７記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用前面部の左右側方には夫々左右の上記弾性片が連設された構成を有することを特徴とする。
【００４２】
即ち、請求項１７記載の本考案に係るＰＯＰ用パッケージにあっては、上記取付部形成用の前面部、前面重合部、天面部、背面部、左側面部、左方接合部、右側面部、右方接合部、左側面重合部及び右側面重合部をそれぞれの境界に設けられた折曲線で折り曲げることにより上記取付部が組み立てられる。
また、上記収納部形成用の前面部、天面部、背面部を夫々の境界に設けられた折曲線で折り曲げることにより上記収納部が組み立てられる。
また、上記取付部形成用の背面外方重合部を上記背面部の外側に重ね合わせると共に、上記背面外方重合部に対し上記背面内方重合部を上記折曲線で折曲して上記背面部の内側に重ねあわせることにより、上記収納部が上記取付部に連結される。
また、上記左右の弾性片を上記前面部に対し夫々折り曲げて重合させることにより上記固定部が形成される。
【００４３】
また、請求項１８記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用上面部の左右側方には夫々左右の上記弾性片が連設された構成を有することを特徴とする。
【００４４】
即ち、請求項１８記載の本考案に係るＰＯＰ用パッケージにあっては、上記取付部形成用の前面部、前面重合部、天面部、背面部、左側面部、左方接合部、右側面部、右方接合部、左側面重合部及び右側面重合部をそれぞれの境界に設けられた折曲線で折り曲げることにより上記取付部が組み立てられる。
また、上記収納部形成用の前面部、天面部、背面部を夫々の境界に設けられた折曲線で折り曲げることにより上記収納部が組み立てられる。
また、上記取付部形成用の背面外方重合部を上記背面部の外側に重ね合わせると共に、上記背面外方重合部に対し上記背面内方重合部を上記折曲線で折曲して上記背面部の内側に重ねあわせることにより、上記収納部が上記取付部に連結される。
また、上記左右の弾性片を上記上面部に対し夫々折り曲げて重合させることにより上記固定部が形成される。
【００４５】
また、請求項１９記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、収納部形成用下面部を兼ねる上記取付部形成用上面部の左右側方には夫々左右の上記弾性片が連設された構成を有することを特徴とする。
【００４６】
即ち、請求項１９記載の本考案に係るＰＯＰ用パッケージにあっては、上記取付部形成用の前面部、前面重合部、天面部、背面部、左側面部、左方接合部、右側面部、右方接合部、左側面重合部及び右側面重合部をそれぞれの境界に設けられた折曲線で折り曲げることにより上記取付部が組み立てられる。
また、上記収納部形成用の前面部、天面部、背面部を夫々の境界に設けられた折曲線で折り曲げることにより上記収納部が組み立てられる。
また、上記取付部形成用の背面外方重合部を上記背面部の外側に重ね合わせると共に、上記背面外方重合部に対し上記背面内方重合部を上記折曲線で折曲して上記背面部の内側に重ねあわせることにより、上記収納部が上記取付部に連結される。
また、上記左右の弾性片を上記収納部形成用下面部を兼ねる上記取付部形成用上面部に対し夫々折り曲げて重合させることにより上記固定部が形成される。
【００４７】
また、請求項２０記載の本考案に係るＰＯＰ用パッケージは、上記組み立てシートにおける上記弾性片には、折曲することにより上記ストッパ部を形成しうる折目が所定位置に設けられていることを特徴とする。
【００４８】
即ち、請求項２０記載の本考案に係るＰＯＰ用パッケージにあっては、上記弾性片に設けられた上記折目を折曲することにより上記ストッパ部が形成される。
【００４９】
また、請求項２１記載の本考案に係るＰＯＰ用パッケージは、上記組み立てシートにおける上記弾性片には、上記折曲突出部を形成しうる折目が所定位置に設けられていることを特徴とする。
【００５０】
即ち、請求項２１記載の本考案に係るＰＯＰ用パッケージにあっては、上記弾性片に設けられた上記折目を折曲することにより上記付属物品側へ膨出する上記折曲突出部が形成される。
【００５１】
また、請求項２２記載の本考案に係るＰＯＰ用パッケージは、上記組み立てシートにおける上記右方接合部と上記左方接合部の一方には切込が設けられると共に他方には係止片が設けられ、上記係止片が上記切込に係合されることにより上記右方接合部と上記左方接合部とが接合されるように構成されていることを特徴とする。
【００５２】
即ち、請求項２２記載の本考案に係るＰＯＰ用パッケージにあっては、折曲して組み立てた状態で上記右方接合部と上記左方接合部とが互いに重合することになり、この状態で上記係止片を上記切込に係合させることにより組み立て状態が固定される。
【００５３】
また、請求項２３記載の本考案に係るＰＯＰ用パッケージは、上記組み立てシートにおける上記右方接合部と上記左方接合部は接着により接合されるように構成されていることを特徴とする。
【００５４】
即ち、請求項２３記載の本考案に係るＰＯＰ用パッケージにあっては、折曲して組み立てた状態で上記右方接合部と上記左方接合部とが互いに重合することになり、この状態で上記右方接合部と上記左方接合部とを接着することにより組み立て状態が固定される。
【考案の効果】
【００５５】
請求項１記載の本考案に係るＰＯＰ用パッケージは、商品に取り付けられる取付部と、上記商品に添付される付属物品を収納しうる収納部と、上記収納部に収納された付属物品を固定しうる固定部とを有することから、上記取付部に販売する商品を取り付け、上記収納部に付属物品を収納することにより、商品と付属物品とを隔離して収納し、かつ一体の状態で販売又は頒布することができる。
従って、販売する商品と、景品として提供される付属物品とが明確に認識されるので、ＰＲ効果を高めることができる。また、上記収納部には付属物品の固定部が設けられていることから、付属物品が収納状態で確実に固定され、展示状態が安定する。
【００５６】
また、請求項２記載の本考案に係るＰＯＰ用パッケージは、上記取付部は上記商品の端部を収納しうるキャップ形状に形成されていることから、上記取付部に対する商品の取り付けや、取付部からの商品の取り出しが容易であり、又、上記取付部の構造が簡易で製造も容易である。
また、上記収納部は上記取付部の上方に配置され、上記取付部の幅方向に沿って付属物品を挿入して収納しうる横向き筒状に形成されていることから、上記収納部に収納された付属物品を視認しやすい。また、上記収納部は横向き筒状なので、高さ寸法を抑えてパッケージ全体のサイズ増大を抑えることができる。従って、コンパクトで展示スペースを多くとらず効率的に展示できると共に、販売しやすい。
【００５７】
また、請求項３記載の本考案に係るＰＯＰ用パッケージは、上記取付部は上記商品の端部を収納しうる凹状に形成されると共に、上記収納部は上記取付部の側方に配置され、上記取付部に付属物品を挿入して収納しうる筒状に形成されていることから、上記取付部に収納された商品が上記収納部に収納された付属物品の下に隠れることがなく視認しやすいため、商品のＰＲ効果が損なわれることがない。また、上記収納部は、上記取付部の長さ方向に沿って付属物品を挿入して収納しうる縦向き筒状に形成されているので、上記収納部の長さ寸法が大きくなり、付属物品の長さ寸法も増大させることができる。
【００５８】
また、請求項４記載の本考案に係るＰＯＰ用パッケージは、上記固定部は、上記収納部における内面側に配置され、上記収納部において上記付属物品を固定しうる弾性片を有し、上記弾性片が上記収納部に収納された付属物品を上記収納部の内面部に対して押圧することにより固定しうるように形成されていることから、上記固定部が上記弾性片のみで容易に形成され、上記固定部の構造が簡易である。従って、上記固定部の製造が容易で、製造コストを低減することができる。また、上記付属物品を押圧して固定する上記弾性片は柔軟性を有しており、上記付属物品に過大な力がかからないので、上記付属物品を傷付けるようなことがない。
【００５９】
また、請求項５記載の本考案に係るＰＯＰ用パッケージは、上記弾性片は上記収納部における背面部に設けられ、上記付属物品を前面部側へ押圧して上記付属物品を固定しうるように形成されていることから、上記付属物品は上記前面部に密着して、前方から上記付属物品を視認しやすい。
【００６０】
また、請求項６記載の本考案に係るＰＯＰ用パッケージは、上記弾性片は上記収納部における前面部に設けられ、上記付属物品を背面部側へ押圧して上記付属物品を固定しうるように形成されていることから、上記付属物品は上記背面部に密着して、固定状態が安定する。
【００６１】
また、請求項７記載の本考案に係るＰＯＰ用パッケージは、上記弾性片は上記収納部における上面部に設けられ、上記付属物品を下面部側へ押圧して上記付属物品を固定しうるように形成されていることから、上記付属物品は上記下面部に密着することになり、上記付属物品の固定が安定する。
【００６２】
また、請求項８記載の本考案に係るＰＯＰ用パッケージは、上記弾性片は上記収納部における下面部に設けられ、上記付属物品を上面部側へ押圧して上記付属物品を固定しうるように形成されていることから、上記付属物品は上記上面部に密着することになり、上記付属物品を上方から視認しやすい。
【００６３】
また、請求項９記載の本考案に係るＰＯＰ用パッケージは、上記弾性片は互いに重合しうる２枚で構成されていることから、２枚の弾性片が重なり合って弾発力が増大するので、上記付属物品に対する固定力が強化され、固定状態が安定する。
【００６４】
また、請求項１０載の本考案に係るＰＯＰ用パッケージは、上記固定部を構成する弾性片には、上記収納部に収納される上記付属物品が短寸の場合に、上記付属物品の長さ方向の両端面に当接し上記付属物品の移動を阻止しうるストッパ部が形成されていることから、上記付属物品が長さ方向へ位置ずれして側方へ偏りにくくなる。従って、上記付属物品は中央部に位置した状態を維持することができ、展示した場合に見栄えが良い。
【００６５】
また、請求項１１記載の本考案に係るＰＯＰ用パッケージは、上記固定部を構成する弾性片には、上記収納部に収納された上記付属物品側へ膨出する折曲突出部が形成されていることから、上記弾性片の反発力が増大し、上記付属物品に対する固定力が強化されるので、上記付属物品の固定状態が安定する。
【００６６】
また、請求項１２記載の本考案に係るＰＯＰ用パッケージは、上記収納部における前面部は後方へ傾斜するように形成されていることから、上記収納部に収納された付属物品が固定しやすくなると共に、上記収納部の前面部が反射しにくくなるので収納された付属物品が外部から視認しやすくなる。
【００６７】
また、請求項１３記載の本考案に係るＰＯＰ用パッケージは、上記取付部には、販売される商品としてのタバコの箱が収納され、上記収納部には上記商品に添付される景品として配布されるライターが収納されうるように形成されていることから、商品としてのタバコと、景品として提供されるライターとを一緒に展示し販売することができるので、ＰＲ効果が高く、商品としてのタバコの販売が促進される。
【００６８】
また、請求項１４記載の本考案に係るＰＯＰ用パッケージは、一枚の組み立てシートの所定位置を折曲して組み立てることにより形成されることから、製造が頗る容易で、製造コストを低減することができる。
【００６９】
また、請求項１５記載の本考案に係るＰＯＰ用パッケージは、上記組み立てシートは合成樹脂製シートにより形成され、上記取付部と上記収納部は外部から内部を透視しうるように形成されていることから、上記取付部に取り付けられた商品と、上記収納部に収納された付属物品とを外部から確実に視認することができる。従って、商品の宣伝効果を高めることができる。
【００７０】
また、請求項１６記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記背面部の左右側方には夫々左右の上記弾性片が連設された構成を有することから、上記組み立てシートを折曲するだけで、上記取付部と、上記収納部と、上記背面部に配置される上記固定部を容易に組み立てて完成させることができる。
【００７１】
また、請求項１７記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用前面部の左右側方には夫々左右の上記弾性片が連設された構成を有することから、上記組み立てシートを折曲するだけで、上記取付部と、上記収納部と、上記前面部に配置される上記固定部を容易に組み立てて完成させることができる。
【００７２】
また、請求項１８記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、上記収納部形成用上面部の左右側方には夫々左右の上記弾性片が連設された構成を有することから、上記組み立てシートを折曲するだけで、上記取付部と、上記収納部と、上記上面部に配置される上記固定部を容易に組み立てて完成させることができる。
【００７３】
また、請求項１９記載の本考案に係るＰＯＰ用パッケージは、上記組み立てシートは、取付部形成用の前面部の下方に順次、前面重合部、上面部、背面部が連設され、上記前面部の左側方に順次、左側面部、左方接合部が連設され、上記前面部の右側方に順次、右側面部、右方接合部が連設され、上記左側面部と右側面部の下方に夫々左側面重合部と右側面重合部が連設され、又、上記取付部形成用前面部の上方に順次、収納部形成用の前面部、上面部、背面部が連設されると共に、更に上記取付部形成用の背面外方重合部、背面内方重合部が連設され、又、収納部形成用下面部を兼ねる上記取付部形成用上面部の左右側方には夫々左右の上記弾性片が連設された構成を有することから、上記組み立てシートを折曲するだけで、上記取付部と、上記収納部と、上記下面部に配置される上記固定部を容易に組み立てて完成させることができる。
【００７４】
また、請求項２０記載の本考案に係るＰＯＰ用パッケージは、上記組み立てシートにおける上記弾性片には、折曲することにより上記ストッパ部を形成しうる折目が所定位置に設けられていることから、上記弾性片を上記折目で折曲することにより上記ストッパ部を容易に形成することができる。
【００７５】
また、請求項２１記載の本考案に係るＰＯＰ用パッケージは、上記組み立てシートにおける上記弾性片には、上記折曲突出部を形成しうる折り目が所定位置に設けられていることから、上記弾性片を上記折目で折曲することにより上記折曲突出部を容易に形成することができる。
【００７６】
また、請求項２２記載の本考案に係るＰＯＰ用パッケージは、上記組み立てシートにおける上記右方接合部と上記左方接合部の一方には切込が設けられると共に他方には係止片が設けられ、上記係止片が上記切込に係合されることにより上記右方接合部と上記左方接合部とが接合されるように構成されていることから、上記右方接合部と上記左方接合部との接合を確実に、かつ容易に行うことができる。
【００７７】
また、請求項２３記載の本考案に係るＰＯＰ用パッケージは、上記組み立てシートにおける上記右方接合部と上記左方接合部は接着により接合されるように構成されていることから、上記右方接合部と上記左方接合部との接合を更に容易化して、製造能率を向上させることができる。
【考案を実施するための最良の形態】
【００７８】
以下、図面を用いて本発明の実施の形態について説明する。
本実施の形態に係るＰＯＰ用パッケージ１１は、図１、図５、図８、図１１及び図１４に示すように、商品１３に取り付けられる取付部１５と、上記商品１３に添付される付属物品１２を収納しうる収納部１６と、上記収納部１６に収納された付属物品１２を固定しうる固定部１９とを有している。
上記取付部１５は、図１、図５、図８及び図１１に示す実施形態では、上記商品１３の端部を被覆しうるキャップ形状に形成されると共に、上記収納部１６は上記取付部１５の上方に配置され、上記取付部１５の幅方向に沿って付属物品１２を挿入して収納しうる横向き筒状に形成されている。
なお、図１４に示す実施形態では、上記取付部１５は上記商品１３の端部を収納しうる凹状に形成されると共に、上記収納部１６は上記取付部１５の側方に配置され、上記取付部１５の長さ方向に沿って付属物品１２を挿入して収納しうる縦向き筒状に形成されている。
【００７９】
上記固定部１９は、図３、図６、図９及び図１２に示すように、上記収納部１６における内面側に配置され、上記収納部１６において上記付属物品１２を固定しうる弾性片４２，４３を有し、上記弾性片４２，４３が上記収納部１６に収納された付属物品１２を上記収納部１６の内面部に対して押圧することにより固定しうるように構成されている。
また、上記弾性片４２，４３は、図３、図６及び図９に示す実施形態では、上記収納部１６における背面部２２に設けられ、上記付属物品１２を前面部１８側へ押圧して上記付属物品１２を固定しうるように形成されている。
なお、図示はしないが、上記弾性片４２，４３は上記収納部１６における前面部１８に設けられ、上記付属物品１２を背面部２２側へ押圧して上記付属物品１２を固定しうるように形成される実施形態も可能である。
また、図１２に示す実施形態では、上記弾性片４２，４３は上記収納部１６における上面部３７に設けられ、上記付属物品１２を下面部側へ押圧して上記付属物品１２を固定しうるように形成されている。
さらに、図示はしないが、上記弾性片４２，４３は上記収納部１６における下面部に設けられ、上記付属物品１２を上面部３７側へ押圧して上記付属物品１２を固定しうるように形成される実施形態も可能である。
また、上記弾性片４２，４３は、図３、図６、図９及び図１２に示すように、互いに重合しうる２枚で構成されている。
また、図５及び図６に示す実施形態では、上記固定部１９を構成する弾性片４２，４３には、上記収納部１６に収納される上記付属物品１２が短寸の場合に、上記付属物品１２の長さ方向の両端面に当接し上記付属物品１２の移動を阻止しうるストッパ部４６が形成されている。
また、上記固定部１９を構成する弾性片４２には、図８、図９、図１１及び図１２に示す実施形態では、上記収納部１６に収納された上記付属物品１２側へ膨出する折曲突出部４９が形成されている。
【００８０】
上記収納部１６における前面部１８は、図１、図５及び図８に示す実施形態では、後方へ傾斜するように形成されている。
また、上記取付部１５には、図１、図５、図８、図１１及び図１３に示すように、販売される商品１３としてのタバコの箱１７が収納され、上記収納部１６には上記商品１３に添付される景品として配布されるライター１４が収納されうるように形成されている。
【００８１】
また、上記ＰＯＰ用パッケージ１１は、図４、図７、図１０及び図１３に示すように、一枚の組み立てシート２３の所定位置を折曲して組み立てることにより形成されるように構成されている。
また、上記組み立てシート２３は合成樹脂製シートにより形成され、上記取付部１５と上記収納部１６は外部から内部を透視しうるように形成されている。
【００８２】
上記組み立てシート２３は、図４、図７及び図１０に示す実施形態では、取付部１５形成用の前面部２４の下方に順次、前面重合部２５、上面部２６、背面部２７が連設され、上記前面部２４の左側方に順次、左側面部２８、左方接合部３０が連設され、上記前面部２４の右側方に順次、右側面部３１、右方接合部３３が連設され、上記左側面部２８と右側面部３１の下方に夫々左側面重合部３４と右側面重合部３５が連設され、又、上記取付部１５形成用前面部２４の上方に順次、収納部１６形成用の前面部１８、上面部３７、背面部２２が連設されると共に、更に上記取付部１５形成用の背面外方重合部４０、背面内方重合部４１が連設され、又、上記収納部１６形成用背面部２２の左右側方に夫々左右の上記弾性片４２，４３が連設された構成を有している。
【００８３】
上記組み立てシート２３は、他の実施形態（図は省略）では、取付部１５形成用の前面部２４の下方に順次、前面重合部２５、上面部２６、背面部２７が連設され、上記前面部２４の左側方に順次、左側面部２８、左方接合部３０が連設され、上記前面部２４の右側方に順次、右側面部３１、右方接合部３３が連設され、上記左側面部２８と右側面部３１の下方に夫々左側面重合部３４と右側面重合部３５が連設され、又、上記取付部１５形成用前面部２４の上方に順次、収納部１６形成用の前面部１８、上面部３７、背面部２２が連設されると共に、更に上記取付部１５形成用の背面外方重合部４０、背面内方重合部４１が連設され、又、上記収納部１６形成用前面部１８の左右側方に夫々左右の上記弾性片４２，４３が連設された構成を有している。
【００８４】
上記組み立てシート２３は、図１３に示す実施形態では、取付部１５形成用の前面部２４の下方に順次、前面重合部２５、上面部２６、背面部２７が連設され、上記前面部２４の左側方に順次、左側面部２８、左方接合部３０が連設され、上記前面部２４の右側方に順次、右側面部３１、右方接合部３３が連設され、上記左側面部２８と右側面部３１の下方に夫々左側面重合部３４と右側面重合部３５が連設され、又、上記取付部１５形成用前面部２４の上方に順次、収納部１６形成用の前面部１８、上面部３７、背面部２２が連設されると共に、更に上記取付部１５形成用の背面外方重合部４０、背面内方重合部４１が連設され、又、上記収納部１６形成用上面部３７の左右側方に夫々左右の上記弾性片４２，４３が連設された構成を有している。
【００８５】
上記組み立てシート２３は、他の実施形態（図は省略）では、取付部１５形成用の前面部２４の下方に順次、前面重合部２５、上面部２６、背面部２７が連設され、上記前面部２４の左側方に順次、左側面部２８、左方接合部３０が連設され、上記前面部２４の右側方に順次、右側面部３１、右方接合部３３が連設され、上記左側面部２８と右側面部３１の下方に夫々左側面重合部３４と右側面重合部３５が連設され、又、上記取付部１５形成用前面部２４の上方に順次、収納部１６形成用の前面部１８、上面部３７、背面部２２が連設されると共に、更に上記取付部１５形成用の背面外方重合部４０、背面内方重合部４１が連設され、又、収納部１６形成用下面部を兼ねる上記取付部形成用上面部２６の左右側方に夫々左右の上記弾性片４２，４３が連設された構成を有している。
【００８６】
上記組み立てシート２３における上記弾性片４２，４３には、図５及び図６に示す実施形態では、折曲することにより上記ストッパ部４６を形成しうる折目４７が所定位置に設けられている。
また、上記組み立てシートにおける上記弾性片４２には、図８、図９、図１１及び図１２に示す実施形態では、上記折曲突出部４９を形成しうる折目４８が所定位置に設けられている。
【００８７】
図４、図７、図１０及び図１３に示す実施形態では、上記組み立てシート２３における上記右方接合部３３と上記左方接合部３０の一方には切込４４が設けられると共に他方には係止片４５が設けられ、上記係止片４５が上記切込４４に係合されることにより上記右方接合部３３と上記左方接合部３０とが接合されるように構成されている。
なお、上記組み立てシート２３における上記右方接合部３３と上記左方接合部３０が接着により接合される実施形態も可能である。
【実施例１】
【００８８】
図１〜図４は実施例１に係るＰＯＰ用パッケージ１１を示したものである。
本実施例１に係る上記ＰＯＰ用パッケージ１１は、付属物品１２を付け加えて付加価値を高めることにより、商品１３としてのタバコの販売促進を図るために、景品としてライター１４をタバコに添付して販売できるように構成されている。
【００８９】
即ち、上記ＰＯＰ用パッケージ１１は、図１に示すように、商品１３としてのタバコの箱１７に取り付けられる取付部１５と、上記商品１３に添付される景品としてのライター１４を付属物品１２として収納しうる収納部１６を有している。
【００９０】
上記取付部１５は、図１及び図２に示すように、商品１３としてのタバコの箱１７の上端部を被覆しうるようにキャップ形状に形成されている。
【００９１】
また、上記収納部１６は、図１及び図２に示すように、上記取付部１５の上方に配置されており、当該収納部１６は上記取付部１５の幅方向に沿って付属物品１２としての上記ライター１４を横臥姿勢で挿入して収納しうるように両端を開口した横向き筒状に形成されている。
【００９２】
上記取付部１５と上記収納部１６はＰＥＴからなる透明な合成樹脂製シートにより形成され、上記取付部１５に収納したタバコの箱１７と、上記収納部１６に収納した上記ライター１４は外部から透視することができる。
【００９３】
また、図１に示すように、上記収納部１６における前面部１８は後方へ傾斜するように形成されている。
【００９４】
上記収納部１６の内部には、図１及び図３に示すように、同収納部１６に挿入された上記ライター１４を固定して保持するための固定部１９が設けられている。
【００９５】
上記固定部１９は、図３に示すように、２枚の弾性片４２，４３により構成されている。
上記弾性片４２，４３は、上記収納部１６における背面部２２の内面側に折り畳まれ重合されるように配置されている。
【００９６】
上記２枚の弾性片４２，４３は折曲されることにより復元力を有し、その復元力が上記弾性片４２，４３を上記収納部１６における前面部１８側へ付勢している。
従って、上記収納部１６に収納された付属物品１２としてのライター１４は、上記弾性片４２，４３により前方へ押圧され、上記収納部１６の前面部１８に圧接されて固定される。
【００９７】
上記ＰＯＰ用パッケージ１１は、図４に示すように、上記透明プラスチックシートを所定形状に裁断して得られた一枚の組み立てシート２３の所定位置を折曲して組み立てることにより形成されている。
【００９８】
上記組み立てシート２３は、図４に示すように、取付部１５形成用の前面部２４と、上記前面部２４の下方に順次、夫々折曲線３６を介し連設された前面重合部２５、上面部２６、背面部２７を有すると共に、上記前面部２４の左側方に順次、夫々折曲線３６を介し連設された左側面部２８、左方接合部３０を有し、又、上記前面部２４の右側方に順次、夫々折曲線３６を介し連設された右側面部３１、右方接合部３３を有し、更に、上記左側面部２８と右側面部３１の下方に夫々折曲線３６を介し連設された左側面重合部３４と右側面重合部３５とを有している。
【００９９】
なお、図４に示すように、上記左側面部２８と上記右側面部３１の上辺部にはそれぞれ抜け止め片３８，３９が突設されている。
また、上記左方接合部３０には切込４４が形成されると共に、上記右方接合部３３には上記切込４４に挿入して係合しうる係止片４５が形成されている。
【０１００】
また、上記組み立てシート２３は、図４に示すように、上記取付部１５形成用前面部２４の上方に順次、夫々折曲線３６を介して上記収納部１６形成用の前面部１８、上面部３７、背面部２２を有し、上記背面部２２の上方に折曲線３６を介することなく一連に形成された上記取付部１５形成用の背面外方重合部４０を有し、上記背面外方重合部４０の上方に折曲線３６を介し背面内方重合部４１を有し、また、上記背面部２２の左右側方にはそれぞれ折曲線３６を介し左方弾性片４２と右方弾性片４３とを有している。
【０１０１】
上記組み立てシート２３は、図２に示すように、取付部１５形成用の前面部２４を起立させ、上記前面部２４の内側に上記前面重合部２５を折り重ね、上記上面部２６を上記前面重合部２５に対し後方へ垂直に折曲し、上記背面部２７を上記上面部２６に対し下方へ垂直に折曲し、又、上記前面部２４に対し上記左側面部２８と上記右側面部３１をそれぞれ後方へ垂直に折曲し、上記左側面重合部３４と上記右側面重合部３５を上記左側面部２８と上記右側面部３１の内側にそれぞれ重合し、更に、上記左方接合部３０と上記右方接合部３３を上記左側面部２８と上記右側面部３１に対し垂直に折り曲げて互いに重合した状態で上記背面部２７の外側に重ね合わせるように配置させ、上記切込４４に上記係止片４５を挿入して係合させることにより上記取付部１５が組み立てられている。
【０１０２】
なお、上記左方接合部３０と上記右方接合部３３は、上記のように上記切込４４に上記係止片４５を挿入して係合させる代わりに、接着により接合することも可能である。
【０１０３】
また、上記組み立てシート２３は、図２に示すように、取付部１５形成用の前面部２４に対し上記収納部１６形成用の前面部１８を後方へ傾斜するように折曲し、上記前面部１８に対し上記上面部３７を後方へ折曲し、上記背面部２２を上記上面部３７に対し下方へ直角に折曲することにより、上記収納部１６が組み立てられている。
【０１０４】
また、図２に示すように、上記背面部２２と一連に形成された上記取付部１５形成用の背面外方重合部４０を上記取付部１５の上記左方接合部３０の外側に重ね合わせると共に、上記背面内方重合部４１を上記背面部２７の内側に重ね合わせることにより、上記取付部１５に対し上記収納部１６が連結固定されている。
【０１０５】
また、図３に示すように、上記収納部１６における上記背面部２２の内側に、上記左方弾性片４２と上記右方弾性片４３を折り重ねて互いに重合させることにより上記固定部１９が組み立てられている。
なお、本実施例にあっては、素材がＰＥＴにより形成されている場合を例に説明したが上記実施例に限定されず、塩化ビニル、ポリエチレン等を使用することもできる。ＰＥＴを使用した場合には、リサイクル可能な素材であることから、環境に優しくかつコストを低減して製作することが可能となる。
【実施例２】
【０１０６】
図５〜図７は実施例２に係るＰＯＰ用パッケージ１１を示したものである。
本実施例２に係る上記ＰＯＰ用パッケージ１１も、商品１３としてのタバコに、付属物品１２としてのライター１４を景品として添付して販売できるように構成されている。
しかしながら、本実施例２におけるＰＯＰ用パッケージ１１は、収納部１６に短寸のライター１４を収納しうるように構成されている。
【０１０７】
そのため、本実施例２に係る上記ＰＯＰ用パッケージ１１は、固定部１９の構造と、組み立てシート２３の形状が、上記実施例１とは異なっている。
その他の構造は、上記実施例１のＰＯＰ用パッケージ１１と同一である。
従って、取付部１５と収納部１６の構造の説明は省略し、上記固定部１９と上記組み立てシート２３の形状の相違点についてのみ以下に説明する。
【０１０８】
上記固定部１９は、図６に示すように、上記実施例１の固定部１９と同様に２枚の弾性片４２，４３により構成され、上記弾性片４２，４３は、上記収納部１６における背面部２２の内面側に折り畳まれ重合されるように配置されている。
しかしながら、図６に示すように、本実施例２における上記固定部１９を構成する２枚の弾性片４２，４３には、上記収納部１６に収納される短寸のライター１４の移動を阻止するためのストッパ部４６が設けられている。
【０１０９】
上記ストッパ部４６は、上記弾性片４２，４３の所定位置に折目４７を設けて、上記折目４７で上記弾性片４２，４３を折曲することにより形成されている。
上記折目４７は、図６に示すように、一方の弾性片４２では、基端部近傍の２箇所に幅方向に沿って形成されると共に、先端部側の１箇所に幅方向に沿って形成されている。また、他方の弾性片４３では、長さ方向の略中央部に幅方向に沿って折目４７が形成されている。
【０１１０】
上記折目４７は、上記収納部１６に短寸のライター１４を収納した場合に、図６に示すように、上記ライター１４の長さ方向の両端面に当接する斜面を有する折山が形成されるように折曲される。この折山の斜面が上記ストッパ部４６を形成する。
従って、上記ライター１４の両端面は、上記ストッパ部４６に当接して、移動を阻止され、中央部に位置ずれしないように配置され、固定される。
【０１１１】
本実施例２に係る組み立てシート２３の形状は、概ね上記実施例１と同一であるが、固定部１９を構成する部位の形状が異なっている。
従って、上記実施例１と同一箇所については説明を省略し、異なる部位についてのみ説明する。
本実施例２に係る組み立てシート２３では、図７に示すように、収納部１６形成用の背面部２２の左側方には左方の上記弾性片４２が折曲線３６を介し連設され、上記左方弾性片４２における基端部近傍の２箇所に折目４７が幅方向に沿って形成されると共に、先端部側の１箇所にも幅方向に沿って折目４７が形成されている。
また、収納部１６形成用の背面部２２の右側方には右方の上記弾性片４３が折曲線３６を介し連設され、上記右方弾性片４３における長さ方向の略中央部にも幅方向にそって折目４７が形成されている。
【０１１２】
上記組み立てシート２３における上記固定部１９は、図６に示すように、上記折目４７で上記左右の弾性片４２，４３が、上記収納部１６の前面部１８側へ突出する折山が形成されるように折曲されて組み立てられている。
【実施例３】
【０１１３】
図８〜図１０は実施例３に係るＰＯＰ用パッケージ１１を示したものである。
本実施例３に係る上記ＰＯＰ用パッケージ１１も、商品１３としてのタバコに、付属物品１２としてのライター１４を景品として添付して販売できるように構成されている。
本実施例３におけるＰＯＰ用パッケージ１１は、収納部１６に収納されるライター１４の固定力を強化しうるように構成されている。
【０１１４】
本実施例３に係る上記ＰＯＰ用パッケージ１１は、固定部１９における弾性片４２の構造と、組み立てシート２３の形状が、上記実施例１とは若干異なっている。
その他の構造は、上記実施例１のＰＯＰ用パッケージ１１と同一である。
従って、取付部１５と収納部１６の構造の説明は省略し、上記固定部１９における弾性片４２と、上記組み立てシート２３の形状の相違点についてのみ以下に説明する。
【０１１５】
上記固定部１９は、図９に示すように、上記実施例１の固定部１９と同様に２枚の弾性片４２，４３により構成され、上記弾性片４２，４３は、上記収納部１６における背面部２２の内面側に折り畳まれ重合されるように配置されている。
しかしながら、図９に示すように、本実施例３における上記固定部１９を構成する２枚の弾性片４２，４３のうち、左方の弾性片４２には先端部に折曲突出部４９が設けられている。
【０１１６】
上記折曲突出部４９は上記弾性片４２に形成された折目４８で、上記収納部１６の前面部１８側へ突出するように折曲して形成されている。
上記折目４８は上記弾性片４２の先端縁から基端方向へ長さ方向に沿って所要長さ形成され、その先端から二股に分かれ、それぞれ上記弾性片４２の両側の側縁に向かうように形成され、全体で略Ｙ字状に形成されている。
【０１１７】
本実施例３に係る組み立てシート２３の形状は、概ね上記実施例１と同一であるが、図１０に示すように、固定部１９を構成する上記弾性片４２の形状が異なっている。
従って、上記実施例１と同一箇所については説明を省略し、異なる部位についてのみ説明する。
本実施例３に係る組み立てシート２３では、図１０に示すように、収納部１６形成用の背面部２２の左側方には左方の上記弾性片４２が折曲線３６を介し連設され、また、右側方には右方の上記弾性片４３が折曲線３６を介し連設されている。
上記左方の上記弾性片４２の先端部には、上記折曲突出部４９を形成しうる折目４８が設けられている。
【０１１８】
上記折目４８は、上記弾性片４２の先端縁から基端方向へ長さ方向に沿って所要長さ形成され、その先端から二股に分かれ、それぞれ上記弾性片４２の両側の側縁に向かうように形成され、全体で略Ｙ字状に形成されている。
【０１１９】
上記組み立てシート２３における上記固定部１９は、図９に示すように、上記折目４８で上記弾性片４２を、上記折曲突出部４９が上記収納部１６の前面部１８側へ突出するように折曲して組み立てられる。
【実施例４】
【０１２０】
図１１〜図１３は実施例４に係るＰＯＰ用パッケージ１１を示したものである。
本実施例４に係る上記ＰＯＰ用パッケージ１１も、商品１３としてのタバコに、付属物品１２としてのライター１４を景品として添付して販売できるように構成されている。
【０１２１】
本実施例４に係る上記ＰＯＰ用パッケージ１１は、固定部１９を構成する上記弾性片４２，４３の配置と、組み立てシート２３の形状が、上記実施例１とは若干異なっている。
また、上記収納部１６形成用の前面部１８は後方へ傾斜しておらず、上記取付部１５形成用の前面部２４の上方に面一に連設されている。
その他の構造は、上記実施例１のＰＯＰ用パッケージ１１と略同一である。
従って、取付部１５と収納部１６の構造の説明は省略し、上記固定部１９における弾性片４２，４３の配置と、上記組み立てシート２３の形状の相違点についてのみ以下に説明する。
【０１２２】
上記固定部１９は、図１２に示すように、上記実施例１の固定部１９と同様に２枚の弾性片４２，４３により構成され、上記弾性片４２，４３は、上記収納部１６における上面部３７の内面側に折り畳まれ重合されるように配置されている。
なお、上記一方の弾性片４２にも、上記実施例３と同様に、上記折目４８が設けられると共に、上記折目４８で折曲することにより上記折曲突出部４９が設けられている。
【０１２３】
本実施例４に係る組み立てシート２３の形状は、概ね上記実施例１と同一であるが、図１３に示すように、固定部１９を構成する上記弾性片４２の配置が異なっている。
また、上記取付部１５形成用前面部２４の上方に上記収納部１６形成用の前面部１８が折曲線３６を介することなく一連に連設されている点が相違している。
従って、上記実施例１と同一箇所については説明を省略し、異なる部位についてのみ説明する。
本実施例４に係る組み立てシート２３では、図１３に示すように、収納部１６形成用の上面部３７の左側方に左方の上記弾性片４２が折曲線３６を介し連設され、また、右側方には右方の上記弾性片４３が折曲線３６を介し連設されている。
上記左方の上記弾性片４２の先端部には、上記折曲突出部４９を形成しうる折目４８が設けられている。
【０１２４】
上記組み立てシート２３における上記固定部１９は、図１２に示すように、上記折目４８で上記弾性片４２を、上記折曲突出部４９が上記収納部１６の下面部（上記取付部１５の上面部２６が兼用）側へ突出するように折曲すると共に、上記左右の弾性片４２，４３を折り重ねることにより組み立てられる。
【実施例５】
【０１２５】
図１４は実施例５に係るＰＯＰ用パッケージ１１を示したものである。
本実施例５に係る上記ＰＯＰ用パッケージ１１も、商品１３としてのタバコに、付属物品１２としてのライター１４を景品として添付して販売できるように構成されている。
【０１２６】
本実施例５に係る上記ＰＯＰ用パッケージ１１は、収納部１６の配置と、上記取付部１５の構造が異なっている。
上記取付部１５は商品１３としての上記タバコの箱１７を側方から挿入して収納できるように、側面を開口した凹状に形成されている。即ち、側面開口部５０の長さ寸法はタバコの箱１７の長さ寸法に適合するように設定されている。
また、上記収納部１６は上記取付部１５の側方に配置され、上記取付部１５の長さ方向に沿って付属物品１２としてのライター１４を挿入して収納しうる縦向き筒状に形成されている。
上記収納部１６の内部に構成される上記固定部１９の構造は上記実施例１〜実施例４に記載されたもののうち、任意の一つと同一であり、その説明は省略する。
【０１２７】
なお、上記実施例１〜５では、上記弾性片４２，４３は、上記背面部２２又は上記上面部３７の内側に配置されていたが、上記弾性片４２，４３を上記前面部１８又は上記下面部（上記取付部１５の上面部２６が兼用）の内面部に配置する実施例（図は省略）とすることも可能である。
【０１２８】
次に、上記実施例の作用について説明する。
上記実施例に係るＰＯＰ用パッケージ１１は、上記取付部１５に商品１３を収納し、上記収納部１６に上記商品１３に添付される付属物品１２を収納し、上記収納部１６に収納された付属物品１２を固定部１９により固定する。
なお、上記取付部１５には商品１３として販売されるタバコの箱１７が収納され、上記収納部１６には景品として添付されるライター１４が収納されて固定される。
その場合、上記取付部１５は、上記商品１３の端部を被覆しうるキャップ形状に形成されていることから、タバコの箱１７を収納しやすい。
また、ライター１４を収納する上記収納部１６は上記取付部１５の上方に配置されていることから、景品が消費者の目に入りやすい。
また、上記収納部１６は上記取付部１５の幅方向に沿って付属物品１２を挿入して収納しうる横向き筒状に形成されていることから、景品を添付しても全体サイズが嵩張ることはなく、展示スペースを効率的に使用することができる。
なお、図１４に示す実施例５では、上記収納部１６は上記取付部１５の側方に配置され、上記取付部１５の長さ方向に沿って付属物品１２を挿入して収納しうる縦向き筒状に形成されているので、長さ寸法の大きいライター１４を上記収納部１６に収納することができると共に、タバコの箱１７がライター１４の下に隠れて視認不能となるのを防止することができる。
【０１２９】
上記固定部１９は、上記収納部１６における内面側に配置され、上記収納部１６において上記付属物品１２を固定しうる弾性片４２，４３を有し、上記弾性片４２，４３が上記収納部１６に収納された付属物品１２を上記収納部１６の内面部に対して押圧することにより固定しうるように構成されていることから、上記固定部１９の構造が簡易で容易に製造することができる。
また、上記収納部１６における背面部２２に設けられた上記弾性片４２，４３は、上記付属物品１２を前面部１８側へ押圧することにより上記付属物品１２を固定することができ、上記収納部１６における上面部３７に設けられた上記弾性片４２，４３は、上記付属物品１２を下面部側へ押圧することにより上記付属物品１２を固定することができる。
また、上記弾性片４２，４３は、互いに重合しうる２枚で構成されることにより上記付属物品１２に対する押圧力が強化される。
【０１３０】
また、上記実施例２のように、上記記固定部１９を構成する弾性片４２，４３に、上記付属物品１２の長さ方向の両端面に当接し、上記付属物品１２の移動を阻止しうる抜け止め片３８，３９が形成されている場合は、上記収納部１６に収納される上記付属物品１２が短寸の場合でも、上記付属物品１２が上記抜け止め片３８，３９により位置ずれしないように固定され、中央部に配置された状態が維持される。
また、上記実施例３のように、上記固定部１９を構成する弾性片４２に、上記収納部１６に収納された上記付属物品１２側へ膨出する折曲突出部４９が形成されることにより、上記弾性片４２の反発力が増大し、上記付属物品１２に対する押圧力が強化される。
【０１３１】
また、上記ＰＯＰ用パッケージ１１は、図４、図７、図１０及び図１３に示す形状に形成された一枚の組み立てシート２３により形成されることから、上記組み立てシート２３の所定位置を折曲するのみで、図１、図５、図８及び図１１に示すＰＯＰ用パッケージ１１を容易に組み立てることができる。
【０１３２】
また、上記組み立てシート２３における上記弾性片４２，４３に設ける上記ストッパ部４６は、上記折目４７で上記弾性片４２，４３を折曲することにより容易に形成することができ、また、上記組み立てシートにおける上記弾性片４２に設ける上記折曲突出部４９も、上記折目４８で上記弾性片４２を折曲することにより容易に形成することができる。
【０１３３】
また、上記組み立てシート２３における上記右方接合部３３と上記左方接合部３０は、上記係止片４５を上記切込４４に係合させることにより、容易かつ確実に接合される。
なお、上記組み立てシート２３における上記右方接合部３３と上記左方接合部３０を接着により接合すれば、接合が更に容易化する。
【産業上の利用可能性】
【０１３４】
本考案は、販売促進のために、景品を付けて商品を販売する場合に使用するＰＯＰ用パッケージに適用することができる。
【図面の簡単な説明】
【０１３５】
【図１】実施例１に係るＰＯＰ用パッケージの斜視図である。
【図２】図１のＡ−Ａ線における断面図である。
【図３】図１のＢ−Ｂ線における断面図である。
【図４】実施例１に係るＰＯＰ用パッケージの組み立てシートの平面図である。
【図５】実施例２に係るＰＯＰ用パッケージの斜視図である。
【図６】図５のＣ−Ｃ線における断面図である。
【図７】実施例２に係るＰＯＰ用パッケージの組み立てシートの平面図である。
【図８】実施例３に係るＰＯＰ用パッケージの斜視図である。
【図９】図８のＤ−Ｄ線における断面図である。
【図１０】実施例３に係るＰＯＰ用パッケージの組み立てシートの平面図である。
【図１１】実施例４に係るＰＯＰ用パッケージの斜視図である。
【図１２】図１１のＥ−Ｅ線における断面図である。
【図１３】実施例４に係るＰＯＰ用パッケージの組み立てシートの平面図である。
【図１４】実施例５に係るＰＯＰ用パッケージの斜視図である。
【符号の説明】
【０１３６】
１１  ＰＯＰ用パッケージ
１２  付属物品
１３  商品
１４  ライター
１５  取付部
１６  収納部
１７  タバコの箱
１８  前面部
１９  固定部
２２  背面部
２３  組み立てシート
２４  前面部
２５  前面重合部
２６  上面部
２７  背面部
２８  左側面部
３０  左方接合部
３１  右側面部
３３  右方接合部
３４  左側面重合部
３５  右側面重合部
３６  折曲線
３７  上面部
３８  抜け止め片
３９  抜け止め片
４０  背面外方重合部
４１  背面内方重合部
４２  弾性片
４３  弾性片
４４  切込
４５  係止片
４６  ストッパ部
４７  折目
４８  折目
４９  折曲突出部
５０  開口部
【図１】
0003111514.tif 000003
【図２】
0003111514.tif 000004
【図３】
0003111514.tif 000005
【図４】
0003111514.tif 000006
【図５】
0003111514.tif 000007
【図６】
0003111514.tif 000008
【図７】
0003111514.tif 000009
【図８】
0003111514.tif 000010
【図９】
0003111514.tif 000011
【図１０】
0003111514.tif 000012
【図１１】
0003111514.tif 000013
【図１２】
0003111514.tif 000014
【図１３】
0003111514.tif 000015
【図１４】
0003111514.tif 000016